(57)【要約】本発明は、複数の医療機器との間のデータ伝送を制御するシステムに関し、複数の医療機器は少なくとも１つの医療機器を含む個々のグループに細分される。第１のデータ伝送段階（１）における医療機器（５）の各グループ（５ａ）はデータの伝送、記憶及び制御のために各第１のネットワーク（７）により通信装置（６）に直接接続され、通信装置（６）は第２のデータ伝送段階（２）にあり、複数の通信装置（６）は記憶、制御及びデータ伝送のために共通の中央サーバ装置（８）とデータを交換し、サーバ装置は第３のデータ伝送段階（３）にある。
2013529320.tif 000002
【特許請求の範囲】
【請求項１】
複数の医療機器（５）との間で授受するデータ伝送を制御するためのシステムであって、前記複数の医療機器（５）は少なくとも１つの医療機器をそれぞれ含む個々のグループ（５ａ）に細分されている、前記システムにおいて、
第１のデータ伝送段階（１）に配置された医療機器（５）の各グループ（５ａ）が、データの伝送、記憶及び制御のために第２のデータ伝送段階（２）に配置された通信装置（６）に対して第１のネットワーク（７）によりそれぞれ直接接続され、かつ、複数のこれらの通信装置（６）が、データの記憶、制御及び伝送のために第３のデータ伝送段階（３）に配置された共通の中央サーバ装置（８）との間でデータを交換可能であるように設計された手段が設けられていることを特徴とするシステム。
【請求項２】
前記手段が、前記通信装置（６）を、前記第３のデータ伝送段階（３）に配置された前記中央サーバ装置（８）に対して直接接続する第２のネットワーク（９）であることを特徴とする請求項１に記載のシステム。
【請求項３】
前記手段が、ＵＳＢスティック又はメモリカードである外部記憶媒体を構成する請求項１に記載のシステム。
【請求項４】
前記中央サーバ装置（８）が、アプリケーションサーバユニット（ＡＳ）と、メモリサーバユニット（ＳＳ）とを有し、前記アプリケーションサーバユニット（ＡＳ）は、第４のデータ伝送段階（４）に配置されたアプリケーション動作ユニット（１０ａ、１０ｂ、１０ｃ）に対して第３のネットワーク（１１）により接続されることを特徴とする請求項１〜３のいずれかに記載のシステム。
【請求項５】
各前記通信装置（６）が、少なくとも１つの第１のメモリユニット（６ａ）と、少なくとも１つの第１の制御ユニット（６ｂ）とを有することにより、そのグループ（５ａ）の医療機器（５）から到着し受信したデータを一時的に記憶し、前記受信したデータには前記医療機器（５）に接続されている患者に関する医療機器固有かつ患者固有のデータが含まれており、かつ、それらのデータをまとめて前記メモリサーバユニット（ＳＳ）に送ることを特徴とする請求項１〜４のいずれかに記載のシステム。
【請求項６】
前記通信装置（６）の前記第１のメモリユニット（６ａ）及び前記第１の制御ユニット（６ｂ）が、前記メモリサーバユニット（ＳＳ）又は前記アプリケーションサーバユニット（ＡＳ）から到着し受信したデータを一時的に記憶するために適しており、前記受信したデータには薬剤固有データが含まれており、かつ、要求に応じて又は必要とされるときにそれらのデータを選択された医療機器（５）に送ることを特徴とする請求項５に記載のシステム。
【請求項７】
前記第３のネットワーク（１１）が、ウェブインタフェース及びウェブブラウザにより、前記アプリケーション動作ユニット（１０ａ、１０ｂ、１０ｃ）を前記アプリケーションサーバユニット（ＡＳ）に接続することを特徴とする請求項４〜６のいずれかに記載のシステム。
【請求項８】
前記医療機器（５）がインスリンポンプであることを特徴とする請求項１〜７のいずれかに記載のシステム。
【請求項９】
複数の医療機器（５）との間で授受するデータの伝送を制御する方法であって、前記複数の医療機器（５）は少なくとも１つの医療機器（５）をそれぞれ含む個々のグループ（５ａ）に細分されている、前記方法において、
第１のデータ伝送段階に配置された医療機器（５）の各グループ（５ａ）が、第２のデータ伝送段階（２）に配置された通信装置（６）との間で第１のネットワーク（７）によりそれぞれデータを伝送するとともにそれらのデータを制御し、かつ、複数の前記通信装置（６）が、第３のデータ伝送段階（３）に配置された共通の中央サーバ装置（８）との間で第２のネットワークによりデータを伝送するとともにそれらのデータを制御することを特徴とする方法。
【請求項１０】
前記中央サーバ装置（８）が、アプリケーションサーバユニット（ＡＳ）と、メモリサーバユニット（ＳＳ）とを設けられており、前記アプリケーションサーバユニット（ＡＳ）は、第４のデータ伝送段階（４）に配置されたアプリケーション動作ユニット（１０ａ、１０ｂ、１０ｃ）に対して第３のネットワーク（１１）により接続され、かつ、前記アプリケーション動作ユニットによるデータの書き込み及び読み取りに関して、操作され、制御されかつ調整されることを特徴とする請求項９に記載の方法。
【請求項１１】
少なくとも１つの第１のメモリユニット（６ａ）においてかつ少なくとも１つの第１の制御ユニット（６ｂ）により受信されたデータであって、そのグループ（５ａ）の前記医療機器（５）により伝送されたデータが、前記医療機器に接続された患者についての医療機器固有かつ患者固有のデータを含み、前記データが、各通信装置（６）に一時的に記憶され、かつ、前記メモリサーバユニット（ＳＳ）へまとめて送られることを特徴とする請求項９又は１０に記載の方法。
【請求項１２】
前記通信装置（６）における前記第１のメモリユニット（６ａ）及び前記第１の制御ユニット（６ｂ）が、前記メモリサーバユニット（ＳＳ）又は前記アプリケーションサーバユニット（ＡＳ）から薬剤固有データを含むデータを受信して一時的に記憶することにより、要求に応じて又は必要なときにそれらのデータを選択された医療機器（５）に送ることを特徴とする請求項１１に記載の方法。
【請求項１３】
前記第１のネットワークが、ＣＡＮのタイプから選択され、かつ、前記第２及び第３のネットワークがＷＬＡＮ及び／又はＬＡＮのタイプから選択されることを特徴とする請求項９〜１２のいずれかに記載の方法。
【発明の詳細な説明】
【技術分野】
【０００１】
本発明は、請求項１及び９の前段による、複数の医療機器との間で授受するデータの伝送を制御するシステム及び方法に関する。
【背景技術】
【０００２】
診療所及び病院においては、データ伝送のためのネットワークが利用可能であることがよくあるが、それらは、一方では複数の医療機器とのデータ通信を可能とし、他方ではサーバ又はサーバ装置とのデータ通信を可能としている。このタイプのネットワークは、ほぼリアルタイムで発生するデータ伝送のタスクを有している。これは、病院ベッドにいる患者にしばしば接続されている医療機器で生成され監視のために中央のサーバ装置に送られなければならないデータについても、中央のサーバ装置から種々の医療機器に送られるデータについても当てはまる。
【発明の概要】
【発明が解決しようとする課題】
【０００３】
このデータ伝送は、ほぼリアルタイムでかつ障害の無い方法で行われなければならないが、これはしばしば、全ての医療機器が共通のネットワークにアクセスする結果としてネットワークの過負荷が生じるために、実現できない。
加えて、このタイプの過負荷は、データ伝送の遮断に繋がる可能性があり、このために、障害の無いデータ伝送を行うことができない。このことからしばしば、ネットワークの故障又は過負荷の場合に、医療機器で現在生成されているか又は事前に受信したデータを一時的に記憶するために医療機器に大きな中間メモリを設けることとなる。
【０００４】
この中間メモリの読み取りは、例えばネットワークの過負荷が低減された後、にサーバ装置に対する安定なデータ伝送接続が確立された場合にのみ再び可能となる。
【０００５】
これらのことから、本発明の目的は、複数の医療機器との間で授受するデータの伝送を制御するシステム及び方法を実現することである。これは、ほぼリアルタイムのデータ伝送時及びネットワークの過負荷の発生時にもデータの損失なく、一方の医療機器と他方のサーバ装置の間の障害の無い連続的なデータの伝送を実現するものである。
【課題を解決するための手段】
【０００６】
この目的は、請求項１の特徴によるシステム及び請求項９の特徴による方法に関連して達成される。
【０００７】
本発明の本質的な態様は、複数の医療機器との間でのデータの授受を制御するシステムの場合、複数の医療機器が少なくとも１つの医療機器を含む個々のグループにそれぞれ細分され、第１のデータ伝送段階に配置された医療機器の各グループが、データの伝送、記憶及び制御のために第２のデータ伝送段階に配置された通信装置に対し第１のネットワークによりそれぞれ接続され、かつ、第２のデータ伝送段階に配置された複数のこれらの通信装置がデータの記憶、制御及び伝送のために第３のデータ伝送段階に配置された共通の中央サーバ装置とデータを交換できるように設計された手段が設けられている。このタイプの手段は、通信装置を直接サーバ装置に接続する第２のネットワークでもよい。これに替えて又は追加して、このタイプの手段が外部記憶媒体を構成してもよく、これは例えば、データの伝送に用いることができるＵＳＢスティック又はメモリカードである。
【０００８】
データの伝送を制御するこのタイプのシステムにおいては、データの伝送に関係する個々のシステム構成要素の多段階配置により、データによるネットワークの過負荷が最小化されかつ関係する他のネットワークの過負荷が避けられるのみでなく、一方の医療機器と他方のサーバ装置の間の障害の無いデータ伝送を確保することも、可能となる利点がある。これは、グループに細分されている個々の医療機器をそれぞれ１つの通信装置に接続するからである。通信装置は、好適には輸液ポンプである医療機器と自立的な形態にてすなわちサーバ装置からは独立して通信することができるように設計されている。さらに、通信装置は、データを記憶できる。一方の通信装置と他方のそれぞれの医療機器の間の直接的な接続は、排他的な接続の第１のネットワークとして形成される。
【０００９】
これは、ＣＡＮ（制御エリアネットワーク）のタイプのネットワークを用いることにより、例えば、医療機器と中央サーバ装置の間で、時間又は量に関するデータ又はデータパケットの重複が生じないという結果が得られる。なぜなら、通信装置と医療機器の１つの間の排他的な直接ラインが、データの伝送における待機時間とデータ損失を低減しかつほぼ解消させるからである。この結果、複数の医療機器への同時配信を確保するネットワークによるデータ伝送を成功させるためにしばしば必要となる繰り返しループのみでなく、医療機器のソフトウェアの更新中における更新終了も避けられる。
【００１０】
さらに、通信装置と医療機器の間のこの直接ラインにより、医療機器から通信装置への又はその逆の、トラブルのないデータ伝送が可能となる。これは、インスリンポンプ等の医療機器に接続されている患者に関する医療機器固有かつ患者固有のデータ並びにサーバ装置から医療機器へ伝送されることとなる薬剤固有のデータの双方に関していえる。
【００１１】
この目的のために、中央サーバ装置は、アプリケーションサーバユニットとメモリサーバユニットとを有しており、アプリケーションサーバユニットは、第４のデータ伝送段階に配置されたアプリケーション動作ユニットに対して第３のネットワークにより接続されている。このようにして、複数のアプリケーション動作ユニットが、直列の、すなわち多段階の形態で構築されたこの通信構造の更なるデータ伝送段階に配置されている。この結果、互いにゆるやかに結合する複数の装置、ユニット及び医療機器が、この通信構造の種々の段階に形成されており、そしてそれらは、直ぐ下位の又は直ぐ上位の段階にて隣り合う装置／ユニット／医療機器との通信を維持し続けるために比較的独立して機能しかつ作動することができる。これにより、通信障害の発生し易さを低減できる。例えば、診療所全体の医療機器と無線ＬＡＮ（ローカルエリアネットワーク）（ＷＬＡＮ）により直接接続されたサーバにおいて、無線ＬＡＮの使用時にしばしば発生し得るような通信障害である。
【００１２】
各通信装置は、この目的のために、少なくとも１つの第１のメモリユニットと少なくとも１つの第１の制御ユニットとを具備することにより、そのグループの医療機器から到着し受信したデータを一時的に記憶することができる。この場合のデータは、特に、その医療機器に接続されている患者に関する医療機器固有かつ患者固有のデータであり、そしてそれらのデータをまとめてメモリサーバユニットに渡すことができる。
【００１３】
同様にして、各通信装置の第１のメモリユニット及び第１の制御ユニットは、メモリサーバユニット又はアプリケーションサーバユニットから到着し受信したデータを一時的に記憶するために適している。この場合のデータは、特に、薬剤固有のデータであり、そして要求に応じて、又は必要なときに、それらのデータを選択された医療機器に渡す。このことは、通信装置から医療機器へ及び医療機器から通信機器への双方においてデータが送られることを可能とし、その場合、全てのデータが一時的に各通信装置の内部に記憶されかつサーバ装置の支援が無くとも任意にこの通信装置のデータを直接読み取ったり書き込んだりすることができる。この結果、一方の医療機器のグループと他方の少なくとも１つの通信機器の間において実質的に独立した第１のネットワークが可能となる。
【００１４】
同様にして、一方におけるこのタイプの複数の通信装置と他方におけるサーバ装置の間に構築された第２のネットワークは、他のネットワークから独立したネットワークシステムとみなされるべきである。この観点から、サーバ装置から個々の通信装置へのデータ伝送、例えば新たな形式で入手可能な薬剤に関するデータをサーバ装置により個々の通信装置に、さらに医療機器に渡すために必要となるデータ伝送は、まず第２のネットワークにより行うことができ、そしてこれらのデータは個々の通信装置の内部に一時的に記憶することができ、その後、必要なときにかつその医療機器の適切な動作状態のときに医療機器に渡すことができる。これは、例えばインスリンポンプの形態で設計された医療機器がインスリンである薬剤の投与を患者に対して全く行っていない場合に相当する。
【００１５】
さらに、サーバ装置と、サーバ装置から離れて設置可能なアプリケーション動作ユニットの間の第３のネットワークは、自立的とみなすべきである。この独立した第３のネットワークは、例えばウェブインタフェース及びウェブブラウザによりアプリケーション動作ユニットをアプリケーションサーバユニットに接続することができ、よってサーバ装置に記憶されたデータの操作、制御、アップロード及び読み取りを可能とする。サーバ装置上に記憶されかつ好適にはメモリサーバユニットに記憶されたデータは、同様に、視覚的に表示することができ、この表示は、サーバ装置においても、サーバ装置から離れて配置された１又は複数のアプリケーション動作ユニットにおいても行うことができる。
【００１６】
本発明による、複数の医療機器との間で授受するデータの伝送を制御するための方法は、第１のデータ伝送段階に配置された医療機器の各グループが、第２のデータ伝送段階に配置された通信装置との間で第１のネットワークによりそれぞれデータを授受し、それらのデータを受信箇所又は送信箇所にて記憶し、そして任意であるが、医療機器又は通信装置を制御するためにそれらのデータをそれぞれ使用することを特徴とする。これらは、医療機器固有の設定データ、医療機器固有の薬剤データ、医療機器固有のソフトウェアプログラム、並びに、医療機器固有の状態情報の収集及び評価及び医療機器固有の治療情報の収集及び評価とすることができる。
【００１７】
医療機器は、第１のデータ伝送段階にて動作しかつまた電源とは実質的に独立して動作するので自立的な形態で機能するが、設定ファイル及びコマンドを用いて通信装置により制御されるとともに、反対に、動作状況、状態及び医療データを通信装置へ渡す。
【００１８】
第２のデータ伝送段階に存在する通信装置は、同様に、ネットワークから実質的に独立して、特にサーバ装置から自立して動作するように設計されており、そして通信装置は、適時にサーバ装置から設定ファイル及びコマンドを受信し、それらを各通信装置に接続された医療機器へ渡す。
【００１９】
接続された全ての医療機器の動作状況、状態及び医療データは、受信されて通信装置に一時的に記憶され、転じて、それらをまとめてすなわち集中的に第３のデータ伝送段階に配置されたサーバ装置に渡す。
【００２０】
さらに、通信装置の時間的なかつ機能的な動作は、好適には、第３のデータ伝送段階の中央サーバ装置により、このタイプの制御データの伝送を利用して制御される。
【００２１】
第３のデータ伝送段階のサーバ装置は、診療所内に集中的に配置されることが好ましく、第４のデータ伝送段階に配置されたアプリケーション動作ユニットにより制御される。このタイプの制御においては、第２のデータ伝送段階の選択された通信装置へ渡される医療機器固有の設定データ及びコマンドを発生させる。第２のデータ伝送段階の通信装置に接続された全ての医療機器の動作状況、状態及び医療データは、同様に、この第３のデータ伝送段階の内部、すなわちサーバ装置の内部に一時的に記憶される。
【００２２】
第４のデータ伝送段階に配置されたアプリケーション動作ユニットは、自動方式により又は診療所関係者の支援により設定ファイル及びコマンドを作成する。加えて、アプリケーション動作ユニットは、稼働される通信装置の選択を行うとともに、このために必要なデータ又は情報を第３のデータ伝送段階のサーバ装置において利用可能とすることにより、通信装置の機能的及び時間的な挙動を規定する。
【００２３】
アプリケーション動作ユニットはさらに、サーバ装置に一時的に記憶される動作状況、状態及び医療データを、適切な方式にて評価し、集約しかつ表示することができる。
【００２４】
アプリケーションサーバユニットは、アプリケーション動作ユニットによりデータの書き込み及び読み取りに関して操作され、制御されかつ調整される。
【００２５】
本発明による方法の場合、少なくとも１つの第１のメモリユニット内にて第２の制御ユニットにより受信されたデータであってそのグループの医療機器により伝送されたデータは、各通信装置において一時的に記憶されるとともにまとめられて、メモリサーバユニットに渡される。これは特に、医療機器に接続された患者についての医療機器固有かつ患者固有のデータである。
【００２６】
特に薬剤固有のデータであるデータは、同様に、第１のメモリユニット及び第１の制御ユニットにより、メモリサーバユニット又はアプリケーションサーバユニットから受信して一時的に記憶されている。それらのデータは、要求に応じて又は必要なときに選択された医療機器に対して送られる。これは、例えば、医療機器がデータの更新に適した動作状況にあるときに行うことができる。そのとき通信装置は、独立した方式にて医療機器に対するデータの伝送と更新を実行する。このために、全ての医療機器のデータが、通信装置により連続的に読み取られ、通信装置の内部に一時的に記憶される。
【００２７】
医療機器の動作状況も含むこれらの一時的に記憶されたデータが、医療機器の適切な動作モードが存在することを示しているときは直ちに、通信装置による医療機器のデータバンクの更新が実行される。この更新は、医療機器が現在の治療を実行中の動作状況においては、実行してはならない。
【００２８】
新規データ及び新規設定は、医療機器において視覚的に表示されることが好ましい。
【００２９】
第１のネットワークは、ＣＡＮタイプであることが好ましく、また、第２及び第３のネットワークはＷＬＡＮ及び／又はＬＡＮタイプであることが好ましい。
【００３０】
更なる有用な実施例は、従属項に記載されている。有用かつ便利な特徴は、図面に関連する以下の説明から明らかとされる。
【図面の簡単な説明】
【００３１】
【図１】図１は、本発明による、多段階で構築されたシステムの構成図である。
【図２ａ】図２ａは、本発明による、多段階システム及び方法を適用した一実施形態の流れ図である。
【図２ｂ】図２ｂは、本発明による、多段階システム及び方法を適用した一実施形態の流れ図である。
【発明を実施するための形態】
【００３２】
図１は、本発明による、複数の医療機器のデータ伝送を制御する方法を実行するための、本発明によるの基本設計を示す構成図である。
【００３３】
このシステムは、データの伝送の失敗が無く、かつ複数の医療機器に接続されたネットワークの過負荷も無く、複数の医療機器の制御及び構成を可能とする。同時に、医療機器により送られ、評価及び監視の目的で集中的に集められる更なるデータの収集及び視覚化を可能とする。
【００３４】
４つのデータ伝送段階１〜４があり、第１のデータ伝送段階１において、インスリンポンプ等の複数の医療機器５が、異なるグループ５ａに細分されている。
【００３５】
医療機器の１つのグループ５ａはそれぞれ、第１の記憶ユニット６ａと第１の制御ユニット６ｂとを具備する通信装置６に割り当てられている。これは、符号７で示すＣＡＮに基づく排他的ネットワークを用いて行われる。このように、通信装置とそれに割り当てられた医療機器との間には、排他的ＣＡＮ接続７がある。
【００３６】
複数の通信装置６はさらに、第２のネットワーク９を介して中央に配置されたサーバ装置８に接続されている。サーバ装置８は、メモリサーバユニットＳＳとアプリケーションサーバユニットＡＳにさらに分割されることが可能である。
【００３７】
サーバ装置８はさらに、第３のネットワーク１１を介して第３のデータ伝送段階３からアプリケーション動作ユニット１０ａ、１０ｂ、１０ｃに接続可能であり、それらのユニットは第４のデータ伝送段階４に配置されかつ異なるアプリケーションＡ、Ｂ、Ｃを動作可能とする。
【００３８】
本発明による、データの伝送を促進するこのような多段階設計のシステムは、利用可能なネットワークを用いることにより過負荷の影響を受けない障害のないデータの伝送を可能とする。
【００３９】
本発明による方法の実施可能な例は、本発明によるシステムを必要とし、図２ａ及び図２ｂに流れ図が示されている。
【００４０】
第１に、アプリケーション動作ユニットの１つにより、新たに更新された薬剤データバンクが構築される。これは、ステップ２１において実行される。
【００４１】
その後、ステップ２２において、薬剤データバンクが、アプリケーション動作ユニットからサーバ装置８への対応する制御信号の伝送により記憶される。
【００４２】
ステップ２３において、全ての通信装置６が、新たな薬剤データバンクがサーバ装置において利用可能である旨の通知を受信する。その後、ステップ２４において、要求により又は必要なときに、新たな薬剤データバンクについてのデータを送信することにより、サーバ装置から全ての通信装置への薬剤データバンクの伝送が行われる。これは、第３のネットワークがアプリケーション動作ユニットからの伝送に用いられた後に、第２のネットワークによりメモリユニットに対して実行される。
【００４３】
通信装置は、それらに接続された医療機器から、個々の薬剤データバンクの現在の状況又は状態に関するデータを連続的に受信する。それらは個々の医療機器に一時的に記憶されている。
【００４４】
ステップ２５において、このチェックが実行されたならば直ちに、ステップ２６において、通信装置から個々の医療機器に対して問い合わせ信号を送信することにより、又は、通信装置内に存在する現在のデータを個々の医療機器に対してチェックすることにより、問い合わせが行われる。この問い合わせは、新たな薬剤データバンクに関するデータが、個々の医療機器内に先に存在する薬剤データバンクと一致するか否かについてである。一致する場合、ステップ２７において薬剤データの更新は行われない。
【００４５】
薬剤データバンクのデータが一致しないとき、さらにステップ２８において、対象の医療機器が、データバンクの更新を許容する動作状況にあるか否か、又は、その時点において治療中であるか否かの問い合わせが行われる。医療機器の動作状況が更新を許容する場合は、ステップ２９において、その医療機器の通信装置からの薬剤データバンクのデータの伝送により、医療機器のデータバンクの更新が行われる。その後、ステップ３１が実行され、それにより、現在の動作状況が医療機器から通信装置へ送られる。
【００４６】
その時点の動作状況が更新を許容しない場合、ステップ３０において、利用可能とされた更新に関する通知が通信装置から医療機器へ送られる。これに応答して、ステップ３１において、医療機器は現在の動作状況を通信装置へ送り、さらに通信装置はステップ３２において、その現在の動作状況をサーバ装置へ送り、ステップ３３においてサーバ装置は、現在の動作状況を記憶することにより、全ての医療機器の動作状況に関する中央データバンクを更新する。
【００４７】
通信装置は、医療機器の動作状況を常にチェックし（ステップ２８）、かつ、医療機器の動作状況が更新を許容するならば直ちに更新を独立して実行する。
【００４８】
ステップ２８において医療機器の動作状況が医療機器の更新を許容できるようになるまで、矢印３４に従って通信装置による動作状況に関する問い合わせが繰り返し行われる。
【００４９】
この結果、医療機器の動作状況及び状態の情報のサーバ装置への伝送の間、データの伝送の２つの段階が続いて行われる。すなわち、第１のデータ伝送段階から第２のデータ伝送段階への移行、及び、第２のデータ伝送段階から第３のデータ伝送段階への移行である。
【００５０】
１つの医療機器により排他的に用いられる、通信装置との第１のネットワークにより、個々の医療機器の動作状況及び発生可能な動作状況及び状態の変化のデータについての現時点での問い合わせが、高い伝送品質かつ低い障害程度にて、可能となる。これらの動作状況及び状態のデータは、一時的に通信装置の内部に記憶され、その後、それらのデータをまとめてサーバ装置へ第２のネットワークにより送信するように準備される。
【００５１】
この場合、通信装置は、第２のネットワークによりどのデータがいつサーバ装置に送られるかを記録し、その結果、サーバ装置へのデータの伝送を、最近到着し受信したデータに制限することができる。
【００５２】
第２のネットワークの障害が発生しそうな場合、予め設定可能な期間の間、全てのデータが一時的に通信装置の内部に記憶され、そして第２のネットワークが再び利用可能となったときそれらのデータはサーバ装置に完全に伝送される。
【００５３】
本発明のさらに別の例においては、通信装置から他の第３のシステムにデータを直接送ることも可能であり、これはサーバ装置により行われる必要がない。この目的のために、プロトコルの適応も通信装置の内部で行うことができる。
【００５４】
各通信装置６からサーバ装置へ伝送されるデータの低減により、まだ伝送されていないデータにとっては、第２のネットワーク９の過負荷を排除することが可能である。同様に、各通信装置６と各医療機器５の間の直接接続の結果、第１のネットワーク７の中ではデータの損失と待機時間が解消される。なぜなら、各医療機器５はその完全なプロトコル及びデータをその中に記憶しているからである。電源障害の場合には、通信装置６の内部のデータの記憶は、結果的にもはや不要である。
【００５５】
出願書類中に開示された全ての特徴は、それらが個別に又は組合せにより従来技術と比較して新規である限りにおいて、本発明に本質的であると主張される。
【符号の説明】
【００５６】
１、２、３、４  データ伝送段階
５、５ａ  医療機器
６  通信装置
６ａ  メモリユニット
６ｂ  制御ユニット
７  第１のネットワーク
８  中央サーバ装置
９  第２のネットワーク
１０ａ〜１０ｃ  アプリケーション動作ユニット
１１  第３のネットワーク
２１〜３４  方法ステップ
ＡＳ  アプリケーションサーバユニット
ＳＳ  メモリサーバユニット
【図１】
2013529320.tif 000003
【図２ａ】
2013529320.tif 000004
【図２ｂ】
2013529320.tif 000005
【国際調査報告】
2013529320.tif 000006
2013529320.tif 000007
2013529320.tif 000008
2013529320.tif 000009
2013529320.tif 000010